(57)【特許請求の範囲】
【請求項１】
軸筒の後端開口部内に、付設部材の外周面に形成したガイド用突起を、前記開口端部の内壁面に設けた軸心に沿って延びるガイド溝に遊挿する、付設部材を装着してなる筆記具の軸筒において、前記軸筒の後端部に、ガイド用突起の外径より大きく、前記ガイド溝に連通する段部を形成したことを特徴とする筆記具の軸筒。
【請求項２】
前記段部が、軸筒後端に向けてテーパー状に形成したことを特徴とする請求項１に記載の筆記具の軸筒。
【発明の詳細な説明】
【０００１】
【発明の属する技術分野】
本発明は、軸筒の開口端部に、付設部材を装着してなる筆記具の軸筒に関する。
【０００２】
【従来の技術】
従来、例えば図５〜図７に示すように軸筒本体１０２の後端開口部１０３内に、後端部６にノック部を有する付設部材４の外周面に形成したガイド用突起７を、軸筒の開口部１０３の内壁面に、周り止め及び位置出しのために設けた軸心に沿って延びるガイド溝１０８に遊挿し、軸筒後端１０２ａ側からノック体（付設部材）４を押圧することにより、ガイド用突起７がガイド溝１０８に案内されて軸筒の開口部１０３内に挿入し、係合突起９がガイド溝の壁面に形成した凸部（係合部）１０に乗り越し係合して、ノック体の一部が軸筒後端１０２ａより突出した状態で、ノック体４を装着してなる筆記具の軸筒１０１は知られている。
【０００３】
こうした筆記具の組立方法においては、手組みであれば、ガイド用突起７とガイド溝１０８の位置関係を目視で確認し挿入することができるが、機械組みの場合には例えば、軸筒後端１０２ａにガイド用突起７を当接させ、付設部材４を回転（図７矢印方向）することによりガイド用突起７とガイド溝１０８の位置出しを行っていた。
【０００４】
ところで、筆記具においては特に低価格品の筆記具では大量生産が望まれており、生産数アップを鑑みて機械組みを行うことが一般的であり、そのために作業効率のよい機械組みに適した筆記具の軸筒が望まれている。
【０００５】
【発明が解決しようとする課題】
しかしながら、前述したように機械組みにおいて軸筒後端１０２ａにガイド用突起７を当接させ、付設部材４を回転することによりガイド用突起７とガイド溝１０８の位置出しを行う際に、機械の振動や製品のバラツキ等により図８に示すようにガイド用突起７とガイド溝１０８が径方向での位置ずれが生じていることがあった。こうした場合には、付設部材４を回転（図９矢印方向）してもガイド用突起７とガイド溝１０８の位置出しを行えないため、機械停止の原因となり作業効率が著しく低下してしまう。また、正常な位置（ガイド用突起７とガイド溝１０８の位置が合っている状態）と前記位置ずれが起こった時の状態では、機械的に判断することは難しく、機械は停止することなく作動してしまう。そのため、この状態で付設部材４を軸筒後端１０２ａ側から押圧することにより付設部材４を破損してしまう恐れがあった。
【０００６】
本発明はこうした事実に鑑みてなされたもので、機械の振動や製品のバラツキ等により、ガイド用突起とガイド溝の位置ズレによる機械停止や組立における付設部材の破損が起こり難い、機械組みに適した筆記具の軸筒を提供するものである。
【０００７】
【課題を解決するための手段】
本発明は、軸筒の後端開口部内に、付設部材の外周面に形成したガイド用突起を、前記開口端部の内壁面に設けた軸心に沿って延びるガイド溝に挿嵌して、付設部材を装着してなる筆記具の軸筒において、前記軸筒の後端部に、ガイド用突起の外径より大きく、前記ガイド溝に連通する段部を形成したことを特徴とする筆記具の軸筒である。
【０００８】
また、前記段部が、軸筒後端に向けてテーパー状に形成したことを特徴とする筆記具の軸筒である。
【０００９】
本発明の付設部材とは、ノック体やクリップ部材等、一般的に知られている筆記具における軸筒の後端部に付設する部材のことである。
【００１０】
【発明の実施の形態】
本発明の実施の形態を、図面を用いて説明すると、本発明の筆記具の軸筒１は、ノック式筆記具における軸筒で、軸筒本体２の後端部２ａが開口した開口部３にノック体（付設部材）４を、ノック体４の後端部６の外周に形成したガイド用突起７をガイド溝８に遊挿させ、軸筒後端２ａ側から付設部材４を押圧することにより、ガイド用突起７がガイド溝８に案内されて軸筒の開口部内に挿入し、先端部５の外周に、ガイド用突起７と同軸上に形成した係子用突起９がガイド溝８の壁面に形成した抜け防止用凸部（係合部）１０に乗り越し係合して、ノック体４の一部が軸筒後端２ａより突出した状態に軸筒の開口部３に装着してなる構造である。軸筒の外周面にはクリップ１３を一体に形成してある。
【００１１】
付設部材の先端部５の前方にはノック式の操出機構である回転カム１２を配設し、軸筒の内壁面には回転カム１１を前後に摺動案内し回転させるためのカム溝（図示せず）を形成し、先端部５の先端には、回転カム１１を前後に摺動し回転を付与するカム部（図示せず）を形成してある。さらに回転カム１１の前方には筆記具用インキ（図示せず）を収容したインキ収容管１２を摺動可能に配設した構造である。
【００１２】
組立ては機械で行うが、本発明の筆記具の軸筒１は、軸筒の開口部２にガイド用突起６の外径Ｃより大きく、ガイド溝７に連通する段部８を形成してある。まず付設部材の先端部５を軸筒の開口部に遊挿する。先端部５の外径Ｆは、開口部３の内径Ｄよりかなり小さく設定されているので容易に遊挿することができる。また、段部の内径Ｂは、ガイド用突起の外径Ｃより大きく形成してあるので、段部９にガイド用突起を有する後端部６を遊挿し易い。その後、ノック体３を回転（図４の矢印）させることにより、ガイド用突起７とガイド溝８の位置出しを行い、さらに軸筒後端２ａ側からノック体４を押圧することにより、ガイド用突起７がガイド溝８に案内されて軸筒の開口部３に進入させ、前記係合突起９がガイド溝の壁面に形成した凸部（係合部）１０に乗り越し係合して、ノック体（付設部材）４を装着するものである。後端部６の外径Ｅは、ノック体を摺動自在及びガタツキ防止のため、開口部の内径Ｄとほぼ同等に設定してある。
【００１３】
また、万が一、段部９に後端部６を遊挿できなかった場合には、後端部６を遊挿した位置と、遊挿できなかった位置で、高さの違いによる組立時の管理ができるので、この時点で機械を停止することができる。そのため、位置がズレたままでノック体（付設部材）４を押圧し破損することを防止することができる。好ましくは、段部９を軸筒後端２ａに向けてテーパー状に形成することにより、付設部材４が傾いても容易に段部９に遊挿することができる。
【００１４】
本発明の実施の形態では、軸筒の後端開口端部に装着される付設部材としてノック体を例にとるが、これに限定されるものではなく、頭冠やクリップ等の一般的に知られている筆記具の軸筒に付設することのできるものであればよい。また、付設部材の装着方法も特に限定されるものではなく、軸筒に切り欠き部を形成し、該切り欠き部にガイド用突起を係合させる方法や圧入方法等、一般的に知られている係合方法を適宜選択して用いることができる。さらに、付設部材の先端部は付設部材と一体または別体のどちらでもよい。
【００１５】
【発明の効果】
本発明の筆記具の軸筒は、前述したような構造なので、機械の振動や製品のバラツキ等により、ガイド用突起とガイド溝の位置ズレによる機械停止や組立における付設部材の破損が起こり難い、機械組みに適した筆記具の軸筒を提供することができた。
【図面の簡単な説明】
【図１】本発明の筆記具の軸筒の要部縦断面図である。
【図２】図１における一部省略したＡ−Ａ拡大断面図である。
【図３】図１における組立工程を示す要部拡大縦断面図である。
【図４】図３における軸筒後端面の要部拡大図である。
【図５】従来の筆記具の軸筒の要部縦断面図である。
【図６】図５における組立工程を示す要部拡大縦断面図である。
【図７】図６における軸筒端面の要部拡大図である。
【図８】図７における付設部材が位置ずれを生じた状態を示す要部拡大縦断面図である。
【図９】図８における軸筒後端面の要部拡大図である。
【符号の説明】
１  筆記具の軸筒
２  軸筒本体
２ａ  軸筒後端
３  開口部
４  付設部材
５  先端部
６  後端部
７  ガイド用突起
８  ガイド溝
９  段部
Ｂ  段部内径
Ｃ  ガイド用突起外径
Ｄ  開口部内径
Ｅ  後端部外径
Ｆ  先端部外径
【図１】
0004412810.tif 000002
【図２】
0004412810.tif 000003
【図３】
0004412810.tif 000004
【図４】
0004412810.tif 000005
【図５】
0004412810.tif 000006
【図６】
0004412810.tif 000007
【図７】
0004412810.tif 000008
【図８】
0004412810.tif 000009
【図９】
0004412810.tif 000010